(57)【要約】【課題】  携帯機器には、通知方法に改善の余地があった。【解決手段】  主面２を有する筺体１１０と、発光を手段としてイベントの発生をユーザに通知する通知部１１７とを備え、主面２の端部５に、主面２の中央における接線３に対して、筺体１１０の外側を向くようにして凸曲面状に傾斜する傾斜面４があるとともに、通知部１１７の少なくとも一部が傾斜面４に配置されていることで、通知部１１７が備えられた筺体１１０の面を下側にして平坦面に載置されている状態で通知部１１０が発光したとしても、その発光をユーザが認知しやすくできる。【選択図】      図２
2015126413.tif 000002
【特許請求の範囲】
【請求項１】
主面を有する筺体と、発光を手段としてイベントの発生をユーザに通知する通知部とを備え、前記主面の端部に、前記主面の中央における接線に対して、前記筺体の外側を向くようにして傾斜する傾斜面があるとともに、前記通知部の少なくとも一部が前記傾斜面に配置されていることを特徴とする携帯機器。
【請求項２】
前記通知部と前記主面の端との間に、前記主面から該主面の裏面に繋がり、光が透過する透過部を有することを特徴とする請求項１に記載の携帯機器。
【請求項３】
前記筺体への接近又は接触を検知するセンサと、携帯機器の動作を制御する制御部とを備えるとともに、
前記通知部は、光を発する発光領域を複数有し、
前記制御部は、前記筺体への接近又は接触の位置を前記センサから特定し、該位置の近傍に配置されている前記発光領域を用いてイベントの発生をユーザに通知することを特徴とする請求項２に記載の携帯機器。
【発明の詳細な説明】
【技術分野】
【０００１】
本発明は、携帯機器に関する。
【背景技術】
【０００２】
液晶ディスプレイ（Ｌｉｑｕｉｄ  Ｃｒｙｓｔａｌ  Ｄｉｓｐｌａｙ）等の表示部またはＬＥＤ（Light Emitting Diode）等の発光素子からの発光を手段としてイベントの発生をユーザに通知する通知部を備えた携帯機器が知られている。例えば、特許文献１に、ＬＣＤ方式ディスプレイを筺体の平面部に備え、発光部を発光させることによって着信をユーザに通知する携帯機器（携帯情報端末）が記載されている。
【先行技術文献】
【特許文献】
【０００３】
【特許文献１】特開２０１１−２４１７２号公報
【発明の概要】
【発明が解決しようとする課題】
【０００４】
しかしながら、特許文献１の携帯機器には、通知方法に改善の余地があった。
【課題を解決するための手段】
【０００５】
本発明の電子端末装置は、主面を有する筺体と、発光を手段としてイベントの発生をユーザに通知する通知部とを備え、前記主面の端部に、前記主面の中央における接線に対して、前記筺体の外側を向くようにして傾斜する傾斜面があるとともに、前記通知部の少なくとも一部が前記傾斜面に配置されていることを特徴とするものである。
【発明の効果】
【０００６】
本発明の携帯機器によれば、通知方法が改善される。
【図面の簡単な説明】
【０００７】
【図１】実施形態に係る携帯電話機１００の機能的な構成の例を示すブロック図である。
【図２】実施形態に係る携帯電話機１００の外観的な構成の例を示す模式図であって、（ａ）は筺体１１０の主面側の正面図、（ｂ）は（ａ）で示す矢印Ａの方向から携帯電話機１００を見た側面図である。
【図３】携帯機器の他の一例である携帯電話機２００の外観的な構成の例を示す模式図であって、（ａ）は筺体１１０の主面側の正面図、（ｂ）は（ａ）で示す矢印Ａの方向から携帯電話機２００を見た側面図である。
【図４】携帯機器のその他の一例である携帯電話機３００の外観的な構成の例を示す模式図であって、（ａ）は筺体１１０の主面側の正面図、（ｂ）は、筺体１１０の裏面側の正面図で、（ｃ）は（ａ）および（ｂ）で示す矢印Ａの方向から携帯電話機３００を見た側面図である。
【図５】携帯電話機３００の通知部１１７にそれぞれ対応する発光領域１１７ａ〜１１７ｈを示す模式図である。
【図６】一般的な携帯電話機の使用状態を例示する模式図である。
【発明を実施するための形態】
【０００８】
本出願に係る携帯機器を実施するための実施形態を、図面を参照しつつ詳細に説明する。以下では、携帯機器の一例として、携帯電話機を取り上げて説明する。
【０００９】
（実施形態１）
図１は、実施形態に係る携帯電話機１００の機能的な構成の例を示すブロック図である。図２は、実施形態に係る携帯電話機１００の外観的な構成の例を示す模式図であって、（ａ）は筺体１１０の主面側の正面図、（ｂ）は（ａ）で示す矢印Ａの方向から携帯電話機１００を見た側面図である。
【００１０】
図１に示すように、携帯電話機１００及び携帯電話機４００は、通信ネットワーク１を介して、相互に通信可能な状態で接続される。携帯電話機１００は自機の一例であり、携帯電話機４００は他の機器の一例である。以下、携帯電話機１００を適宜「自機」と記載する。以下の説明においては、同様の構成要素に同一の符号を付すことがある。さらに、重複する説明は省略することがある。
【００１１】
図１に示すように、携帯電話機１００は、筺体１１０と、通信部１１１と、マイク１１２と、スピーカ１１３と、レシーバ１１４と、表示部１１５と、操作部１１６と、通知部１１７と、センサ部１１８と、記憶部１２０と、制御部１３０とを有する。
【００１２】
図１に示すように、携帯電話機１００は、筺体１１０と、通信部１１１と、マイク１１２と、スピーカ１１３と、レシーバ１１４と、表示部１１５と、操作部１１６と、通知部１１７と、センサ部１１８と、記憶部１２０と、制御部１３０とを有する。
【００１３】
筺体１１０は、図２（ａ），（ｂ）に示すように、主面２の端部５に、筺体１１０の中央における接線３に対して、筺体１１０の外側を向くようにして凸曲面状に傾斜する傾斜面４がある。なお、筺体１１０の中央とは、主面２における重心Ｇのことである。なお、傾斜面４は平面状に傾斜するものであってもかまわない。
【００１４】
また、図２（ａ），（ｂ）の例では、筺体１１０は、主面２の外形状が略長方形状の板状体であるが、外形状はこれに限定されない。主面２の外形状は、正方形又は円形等のどのような形状もとりうる。
【００１５】
通信部１１１は、通信ネットワーク１を介した通信を行う。通信部１１１は、アンテナを有し、例えば、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、携帯電話機４００との間で電話通信及び情報通信を行う。実施形態において、通信部１１１は、携帯電話機４００から送信された情報を受信し、制御部１３０に送出する。
【００１６】
マイク１１２は、例えば、音声通話時の音声を入力する。スピーカ１１３は、例えば、携帯電話機１００の筐体１１０内に配置されており、音声通話の着信を報知する音、メールの送信受信を報知する音等を出力する。レシーバは、例えば、音声通話時の音声を出力する。
【００１７】
表示部１１５は、制御部１３０から入力される信号に応じて、文字、図形、画像などの各種情報を表示する。表示部１１５は、図２（ａ），（ｂ）に示すように、主面２の反対側の面である裏面６にある。表示部１１５は、例えば、液晶ディスプレイ（Ｌｉｑｕｉｄ  Ｃｒｙｓｔａｌ  Ｄｉｓｐｌａｙ）、ＥＬディスプレイ（Ｅｌｅｃｔｒｏ−Ｌｕｍｉｎｅｓｃｅｎｃｅ  Ｄｉｓｐｌａｙ）、ＭＥＭＳ（Ｍｉｃｒｏ  Ｅｌｅｃｔｒｏ  Ｍｅｃｈａｎｉｃａｌ Ｓｙｓｔｅｍ）シャッターディスプレイ等の表示パネルを有して構成される。
【００１８】
操作部１１６は、利用者の操作を受け付けて、受け付けた操作に応じた信号を制御部１３０に送出する。操作部１１６は、例えば、利用者の操作を受け付けるための１乃至複数のデバイスを有して構成される。デバイスには、例えば、キー、ボタン、タッチスクリーン等が含まれる。
【００１９】
センサ部１１８は、自然現象および人工物の機械的、電磁気的、熱的、音響的、化学的性質あるいはそれらで示される空間情報および時間情報の少なくとも１つを制御部１３０に送出する。センサ部１１８は、例えば、歪センサ、タッチセンサ、加速度センサ、角速度センサ、光学センサ、温湿度センサ等がある。なお、センサ部１１８を複数備えてもかまわない。
【００２０】
通知部１１７は、制御部１３０がイベント条件を満たしたと判断したとき、制御部１３０の制御により発光することでイベントの発生をユーザに通知する。なお、イベント条件を満たしたと判断したときとは、ユーザに認知させることを目的として設定される所定の条件を満たしたときのことである。例えば、電話通信が着信状態にある、メールを受信した、センサ部１１８により取得した情報が所定の値を満たした、又はバッテリーの量が所定の量を満たした等のユーザに認知させることを目的として設定される所定の条件を満たしたときのことである。また、図２（ａ），（ｂ）に示すように、通知部１１７は、傾斜面４に配置されている。なお、通知部１１７は、全てが傾斜面４に配置されていなくてもよく、通知部１１７の少なくとも一部が傾斜面４に配置されていればよい。
【００２１】
通知部１１７は、ＬＥＤ（Ｌｉｇｈｔ  Ｅｍｉｔｔｉｎｇ  Ｄｉｏｄｅ）等の発光素子を有して構成される。なお、携帯電話機１００は、表示部１１５を主面２側に設けて、通知部１１７として用いても構わない。
【００２２】
なお、通知部１１７は、発光素子又は表示パネルそのものを指すわけではなく、発光素子又は表示パネルの発光により携帯電話機１００の外観に現れる発光領域を指す。
【００２３】
発光素子又は表示パネルの発光により携帯電話機１００の外観に現れる発光領域（通知部１１７）について具体例を示して説明する。
【００２４】
通知部１１７が発光素子を有して構成される場合、筺体１１０内部に発光素子と、導光経路とを筺体１１０内部に設けて、発光素子の光を前記導光路により主面２に導出する携帯電話機１００であれば、発光領域（通知部１１７）は、発光素子そのものではなく、主面２に導出された光の領域を指す。
【００２５】
通知部１１７が表示パネルを有して構成される場合、例えば、電話通信が着信状態にあるときに、制御部１３０が、表示パネルの一部の領域の輝度をイベントの発生前に比べて変化させてイベントの発生をユーザに通知する携帯電話機１００であれば、発光領域（通知部１１７）は、表示パネルそのものではなく、前記表示パネルの一部の領域を指す。なお、輝度を変化させるとは、例えば、輝度を高くする、輝度を低くする、または連続的に輝度を変更する等である。
【００２６】
なお、上記具体例では、電話通信が着信状態にある場合に限定して説明したが、本発明の実施形態はこれに限定されるものではない。
【００２７】
記憶部１２０は、プログラム及びデータを記憶する。記憶部１２０は、制御部１３０の処理結果を一時的に記憶する作業領域としても利用される。記憶部１２０は、半導体記憶媒体、及び磁気記憶媒体等の任意の非一過的（ｎｏｎ−ｔｒａｎｓｉｔｏｒｙ）な記憶媒体を含んで構成されてもよい。記憶部１２０は、複数の種類の記憶媒体を含んで構成されてもよい。記憶部１２０は、メモリカード、光ディスク、又は光磁気ディスク等の可搬の記憶媒体と、記憶媒体の読み取り装置との組み合わせを含んで構成されてもよい。記憶部１２０は、ＲＡＭ（Ｒａｎｄｏｍ  Ａｃｃｅｓｓ  Ｍｅｍｏｒｙ）等の一時的な記憶領域として利用される記憶デバイスを含んで構成されてもよい。
【００２８】
記憶部１２０は、実施形態において、図１に示すように、例えば、制御プログラム１２１、イベント条件データ１２２及び発光パターンデータ１２３等を記憶する。
【００２９】
制御プログラム１２１は、携帯電話機１００を構成するデバイス、例えば、通信部１１１、マイク１１２、操作部１１６、通知部１１７、センサ部１１８等から得られた情報から、次に説明するイベント条件データ１２２を基づいてイベント条件を満たすか、満たさないかを判定するための機能を提供する。さらに、制御プログラム１２１は、前記判定の結果に応じて、通知部１１７の発光を実行するための機能を提供する。
【００３０】
イベント条件データ１２２は、イベント条件が記録されたデータである。
【００３１】
発光パターンデータ１２３は、通知部１１７の発光のパターンが記録されたデータである。発光パターンデータ１２３としては、例えば、点滅灯の有無、点滅灯時の点灯−滅灯間の時間間隔、発光時の光の色等の発光条件を示すデータが例示できる。
【００３２】
制御部１３０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）及びコプロセッサなどを含んで構成されるが、これらに限定されない。制御部１３０は、携帯電話機１００の動作を統括的に制御して各種の機能を実現する。
【００３３】
具体的には、制御部１３０は、記憶部１２０に記憶されているデータを必要に応じて参照しつつ、記憶部１２０に記憶されているプログラムに含まれる命令を実行する。そして、制御部１３０は、データ及び命令に応じて機能部を制御し、それによって各種機能を実現する。機能部には、例えば、通信部１１１、表示部１１５、通知部１１７、センサ部１１８等が含まれるが、これらに限定されない。
【００３４】
制御部１３０は、制御プログラム１２１を実行することにより、制御プログラム１２１により提供される機能を、判定部１３１による処理として実現する。判定部１３１は、判定部の一例である。
【００３５】
判定部は、イベントが発生したかどうかを判定する。判定部の一例である、判定部１３１では、音声通話のイベントが発生したかどうかを判定する。具体的には、通信部１１１により携帯電話機４００（他の機器）から音声通話の通知信号を受信したかどうかを判定する。
【００３６】
判定部１３１は、携帯電話機４００から音声通話の通知信号を受信している状態であるか、否かを判定する。判定部１３１は、判定の結果、音声通話の通知信号を受信している状態、いわゆる電話通信が着信状態にある場合、発光データに基づいて制御部１３０は通知部１１７の発光を実行する制御をおこなう。
【００３７】
音声通話の通知信号を受信していない状態の場合、言い換えると音声通話の着信状態にない場合、制御部１３０は通常通り携帯電話機１００を制御する。
【００３８】
本実施形態の携帯電話機１００は、主面２を有する筺体１１０と、発光を手段としてイベントの発生をユーザに通知する通知部１１７とを備え、主面２の端部５に、筺体１１０の中央における接線３に対して、筺体１１０の外側を向くようにして凸曲面状に傾斜する傾斜面４があるとともに、通知部１１７の少なくとも一部が傾斜面４に配置されている。このような構成の携帯電話機１００は、筺体１１０の主面２を下側にして平坦面に載置したとき、傾斜面４がある端部５は平坦面と接することがなく、前記端部５と平坦面との間に隙間ができ、前記隙間と携帯電話機１００の外周にある空間は繋がっている。したがって、筺体１１０の主面２を下側にして平坦面に載置したとしても、傾斜面４に配置された通知部１１７が発光すると、筺体１１０より外側に通知部１１７の光が進行することができるため筺体１１０より外側にある平坦面が照らされることで、ユーザは裏面６側から通知部１１７の発光を認知することができる。また、筺体１１０の主面２を下側にして平坦面に載置したとき、通知部１１７の光を反射する平坦面の領域の近傍に、傾斜面４が設けられた端部５による影ができやすく、前記平坦面の領域のコントラストがより高まりやすい。すなわち、携帯電話機１００によれば、通知部１１７が備えられた筺体１１０の面を下側にして平坦面に載置されている状態で通知部１１０が発光したとしても、その発光をユーザが認知しやすくできる。
【００３９】
本実施形態の携帯電話機１００は、主面２側に通知部１１７と、裏面６側に表示部１１５とを有する場合、表示部１１５において描画されている状態（以下では、描画状態という）であると制御部１３０が判定する第１の機能と、センサ部１１８から送出された情報から、携帯電話機１００の主面２の近傍に物体があると制御部１３０が判定する第２の機能を有し、第１の機能及び第２の機能の結果から表示部１１５が描画状態で、かつ携帯電話機１００の主面２の近傍に物体があると判定したとき、制御部１３０は、通知部１１７を用いてユーザに通知することが好適である。なお、主面２の近傍に物体があることを検出するのに用いられるセンサ部１１８は、例えば、光学センサ、タッチセンサ等を有して構成される。また、表示部１１５が描画状態であるとは、表示部１１５を用いる制御プログラムが実行されている状態である。描画状態の具体例としては、動画の再生中である状態、ゲームアプリを実行している状態等が例示できる。
【００４０】
上記構成であると、ユーザは、表示部１１５が描画状態にあって表示部１１５を注視していたとしても、通知部１１７からの発光が視界に入ることで、イベントの発生を認知しやすい。
【００４１】
さらに、本実施形態の携帯電話機１００は、表示部１１５および通知部１１７の両方ともを用いてイベントの発生をユーザに通知するものである場合は、第１の機能及び第２の機能から表示部１１５が描画状態で、かつ携帯電話機１００の主面２の近傍に物体があると判定したとき、表示部１１５においてイベントが発生する直前の描画状態を維持しつつ、通知部１１７を用いてユーザに通知することが好適である。
【００４２】
上記構成であると、イベントが発生する直前の表示部１１５の表示が妨げられることなく、ユーザはイベントの発生を認知することができる。
【００４３】
（実施形態２）
図３は、携帯機器の他の一例である携帯電話機２００の外観的な構成の例を示す模式図であって、（ａ）は筺体１１０の主面側の正面図、（ｂ）は（ａ）で示す矢印Ａの方向から携帯電話機２００を見た側面図である。
【００４４】
携帯電話機２００は、表示部１１５を通知部１１７として用いた場合の実施形態である。携帯電話機２００の制御部１３０は、イベントが発生したとき、傾斜部４に対応する位置に、通知部１１７、すなわち既出の発光領域の少なくとも一部を表示することにより、ユーザにイベントの発生を通知する。
【００４５】
上記構成の携帯電話機２００は、裏面６には表示パネル以外のデバイスを設けることができるため、設計上の自由度が高い。
【００４６】
（実施形態３）
図４は、携帯機器のその他の一例である携帯電話機３００の外観的な構成の例を示す模式図であって、（ａ）は筺体１１０の主面側の正面図、（ｂ）は、筺体１１０の裏面側の正面図で、（ｃ）は（ａ）および（ｂ）で示す矢印Ａの方向から携帯電話機３００を見た側面図である。
【００４７】
携帯電話機３００は、通知部１１７と主面２の端５’との間に、主面２から裏面６に繋がり、光が透過する透過部１２４を有する。透過部１２４は、通知部１１７が発光する光を透過することができる部材からなる。例えば、前記部材は、透過率が５０％以上である樹脂、ガラス、単結晶、ゴム等の部材が例示できる。また、図４（ａ）、（ｂ）、（ｃ）の例では、透過部１２４は携帯電話機３００の外周に配置されているが、透過部１２４はこの配置に限定されない。透過部１２４は、通知部１１７と主面２の端５’との間に配置されていればよい。
【００４８】
上記構成である携帯電話機３００によれば、筺体１１０の主面２を下側にして平坦面に載置されている状態で発光したとき、裏面６側からでも、透過部１２４を通して、ユーザは通知部１１７の光を認知することができる。すなわち、筺体１１０の主面２を下側にして平坦面に載置されている状態で発光したときに、ユーザが認知できる領域がより広がる。また、筺体１１０の主面２を下側にして平坦面に載置されている状態にあって、さらに筺体１１０の外周に接する物体があったとしても、透過部１２４を通して、ユーザは通知部１１７の光を認知することができる。  携帯電話機３００は、複数の通知部１１７を有し、センサ部１１８として筺体１１０への接近又は接触を検知するセンサを備える。
【００４９】
図５は、携帯電話機３００の通知部１１７にそれぞれ対応する発光領域１１７ａ〜１１７ｈを示す模式図である。
【００５０】
図５に示すように、携帯電話機３００は、複数の通知部１１７にそれぞれ対応する発光領域１１７ａ〜１１７ｈを有する。
【００５１】
携帯電話機３００の制御部１３０は、発光領域１１７ａ〜１１７ｈの内、筺体１１０への接近又は接触を検知した位置を範囲内に含む発光領域１１７ａ〜１１７ｈを用いてイベントの発生をユーザに通知する。
【００５２】
図６は、一般的な携帯電話機の使用状態を例示する模式図である。
【００５３】
図６で例示するように、ユーザが携帯電話機３００の筺体１１０の側面を指で挟持して表示部１１５を見て使用している状態で、イベントが発生したとき、携帯電話機３００の制御部１３０は、センサ部１１８から送出された情報から筺体１１０への接触の位置（指が接触している位置）を含む発光領域１１７a、１１７ｂ、１１７ｆ〜ｈを用いてイベントの発生をユーザに通知する。発光領域１１７a、１１７ｂ、１１７ｆ〜ｈに対応する通知部１１７の光は、携帯電話機３００を挟持するユーザの指の一部を照らす。ユーザは、透過部１２４を通して、照らされた指の一部を見ることで、通知部１１７の光を裏面６側から認知することができる。すなわち、携帯電話機３００を握った状態であれば裏面６側からでもユーザは通知部１１７の光を認知することができる。
【００５４】
なお、図６において、ユーザが裏面６側から認知する、通知部１１７（発光領域１１７a、１１７ｂ、１１７ｆ〜ｈ）の光が指の一部を照らしている部分を１１９と符号をつけて破線で図示している。
【００５５】
上記の実施形態１〜３では、添付の請求項に係る携帯電子機器の例として、携帯電話機について説明したが、添付の請求項に係る携帯機器は、携帯電話機に限定されない。添付の請求項に係る携帯機器は、発光を手段としてイベントの発生をユーザに通知する通知部１１７を有する機器であれば、携帯電話機以外の携帯機器であってもよい。
【００５６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００５７】
１：ネットワーク
２：主面
３：主面の中央における接線
４：傾斜面
５：主面の端部
５’：主面の端
６：裏面
１００、２００、３００：本実施形態の携帯電話機
１１０：筺体
１１１：通信部
１１２：マイク
１１３：スピーカ
１１４：レシーバ
１１５：表示部
１１６：操作部
１１７：通知部
１１８：センサ部
１２０：記憶部
１２１：制御プログラム
１２２：イベント条件データ
１２３：発光パターンデータ
１２４：透過部
１３０：制御部
１３１：判定部
４００：他の携帯電話機
【図１】
2015126413.tif 000003
【図２】
2015126413.tif 000004
【図３】
2015126413.tif 000005
【図４】
2015126413.tif 000006
【図５】
2015126413.tif 000007
【図６】
2015126413.tif 000008